(57)【要約】【課題】顧客が、顧客の開催するイベントに合わせて、芸能人、芸人等のパフォーマーを容易且つ確実に探し出すことができると共に、パフォーマーも顧客からの申込みを増やし、活躍の場を広げることができるパフォーマー検索システムを提供する。【解決手段】パフォーマー端末２と、クライアント端末３とにサーバー４が接続されているパフォーマー検索システム１に於いて、サーバー４は、クライアント端末３から受信した、顧客の開催するイベントに合わせた検索情報に基づき、パフォーマーを抽出する検索・抽出手段と、クライアント端末３からパフォーマーの評価情報に関わる検索情報を受信すると、パフォーマーに関する評価情報を検索して合致するパフォーマーを抽出する検索・抽出手段と、抽出されたパフォーマーに基づき、検索回答画面情報を作成する手段と、検索回答画面情報をクライアント端末３に送信する送信手段等を備えている。【選択図】図１
2013045174.tif 000002
【特許請求の範囲】
【請求項１】
パフォーマーが操作するパフォーマー端末と、パフォーマーを探しているクライアントが操作するクライアント端末とにサーバーがインターネットを介して通信するように接続されたパフォーマー検索システムであって、
前記サーバーは、前記パフォーマー端末から、パフォーマー名称、パフォーマーのジャンル、パフォーマンスに適したイベントの種類、パフォーマーの活動範囲、スケジュール、パフォーマーに関する画像、パフォーマンス時間、料金、動画、及びパフォーマンスの詳細情報のうち少なくとも１つを含むパフォーマーに関する登録情報を受信すると記憶装置に格納されたデータベースに保存する手段と、
前記クライアント端末から、パフォーマーに関する評価情報を受信するとパフォーマーに関連付けて前記データベースに保存する手段と、
前記クライアント端末からの要求により、検索情報を入力するための検索画面情報を前記クライアント端末へ送信する手段と、
前記クライアント端末から前記検索画面情報に基づく検索画面を介して、クライアントが開催するイベントの種類、イベントの場所、イベントの場所の最寄り駅、イベントの日時、パフォーマー名称、パフォーマーのジャンル、パフォーマンス時間、料金のうち少なくとも一つを含む検索情報を受信すると、受信した検索情報に基づき、前記検索情報に夫々対応させて前記登録情報のパフォーマンスに適したイベントの種類、パフォーマーの活動範囲、パフォーマーの活動範囲、スケジュール、パフォーマー名称、パフォーマーのジャンル、パフォーマンス時間、料金を検索し、前記検索情報と合致するパフォーマーを抽出する手段と、
前記パフォーマーを抽出した際に、２以上の検索情報により検索を行った場合は、更に、前記２以上の検索情報の何れにも合致するパフォーマーを抽出する手段と、
前記クライアント端末から前記検索画面情報に基づく検索画面を介して、前記ジャンル毎のパフォーマーのランキング、又は、最近の所定期間のベストパフォーマーの何れかの前記評価情報に関わる検索情報を受信すると、受信した検索情報に基づき、前記データベースに保存されたパフォーマーに関する評価情報を検索して前記評価情報に関わる検索情報に合致するパフォーマーを抽出する手段と、
抽出されたパフォーマーに基づき、前記データベースに登録されたパフォーマーの所定の登録情報を抽出して検索回答画面情報を作成する手段と、
前記検索回答画面情報を前記クライアント端末に送信する手段と、
前記クライアント端末からパフォーマーへの申込み情報を受信すると、前記申込み情報を受信した旨の情報を前記クライアント端末及び前記パフォーマー端末に送信する手段とを備えたことを特徴とするパフォーマー検索システム。
【請求項２】
前記サーバーは、前記クライアント端末から問合せ画面を介して問合せ情報を受信すると、前記パフォーマー端末に問合せがあった旨の情報を送信する手段と、
前記パフォーマー端末からの要求により、前記問合せ情報を含む問合せ回答入力画面情報を作成する手段と、
前記問合せ回答入力画面情報を前記パフォーマー端末に送信する手段と、
前記パフォーマー端末から前記問合せ回答入力画面情報に基づく問合せ回答入力画面を介して前記問合せ情報に対する回答情報を受信すると、前記クライアント端末に前記問合せ情報に対する回答があった旨の情報を送信する手段と、
前記クライアント端末からの要求により前記問合せ回答情報を含む問合せ回答画面情報を作成する手段と、
前記問合せ回答画面情報を前記クライアント端末に送信する手段とを備えたことを特徴とする請求項１記載のパフォーマー検索システム。
【請求項３】
前記サーバーは、前記検索情報が、クライアントの開催するイベントの日時であった場合、前記イベントの日時に基づき、パフォーマーのスケジュールが予め登録された前記データベースに格納されたスケジューラーから前記イベントの日時にパフォーマンスが可能なパフォーマーを検索する手段を備えたことを特徴とする請求項１又は２に記載のパフォーマー検索システム。
【請求項４】
前記サーバーは、前記検索情報が、クライアントが開催するイベントの場所の最寄り駅であった場合、前記サーバーが備える、又は、前記サーバーからアクセスできる駅住所データベースによって、前記最寄り駅の住所を求め、前記最寄り駅の住所に基づき、前記データベースに保存された前記パフォーマーの活動範囲を検索し、前記最寄り駅の近くで活動できるパフォーマーを抽出する手段を備えたことを特徴とする請求項１乃至３のうちいずれか一に記載のパフォーマー検索システム。
【請求項５】
前記サーバーは、前記検索情報が、パフォーマーのジャンル毎の評価のランキングであった場合、前記データベースに登録されているパフォーマーの評価情報により、パフォーマーをジャンル毎に評価が高い順に所定人数抽出する手段を備えたことを特徴とする請求項１乃至４のうちいずれか一に記載のパフォーマー検索システム。
【請求項６】
前記サーバーは、前記検索情報が、最近の所定期間のベストパフォーマーであった場合、前記データベースに登録されているパフォーマーの評価情報により、パフォーマーの最近の所定期間に於ける評価の高い順に所定人数抽出する手段を備えたことを特徴とする請求項１乃至５のうちいずれか一に記載のパフォーマー検索システム。
【発明の詳細な説明】
【技術分野】
【０００１】
本発明は、顧客が、芸能人、芸人等のパフォーマーを容易且つ確実に探し出すことができると共に、パフォーマーも顧客からの申込みを増やし、活躍の場を広げることができるパフォーマー検索システムに関する。
【背景技術】
【０００２】
結婚式、宴会、パーティなどで面白い企画が欲しい顧客等、パフォーマーを求めている顧客と、スケジュールの空いている芸能人、芸人等、顧客を獲得したいパフォーマーとを結びつける方法として、従来は、顧客が芸能人、芸人等のパフォーマーと個別に連絡をとったり、芸能人、芸人等のパフォーマーの所属する事務所やプロダクション等に連絡をとって行われるのが通常であった。
この場合、顧客が、個々に連絡をとる煩雑さや、個別の申込みの手続きの煩雑さがあり、又、希望に沿ったパフォーマーを探し当てたり、複数の希望候補のパフォーマーを比較したりするのが容易ではないという問題があった。
そこで、例えば、特許文献１は、ユーザがインターネット上で芸人、パフォーマーの芸を動画によって閲覧できると共に、ユーザが自ら出演を希望する芸人、パフォーマーを自分の条件に合わせた検索により選ぶことができるシステムが記載されている。
【先行技術文献】
【特許文献】
【０００３】
【特許文献１】特開２００５−２３４６７５号公報
【発明の概要】
【発明が解決しようとする課題】
【０００４】
前述したように、従来、パフォーマーを求めている顧客と、顧客を獲得したいパフォーマーとを容易に結びつける方法がなかった。
又、特許文献１は、ユーザが自ら出演を希望する芸人、パフォーマーを自分の条件に合わせた検索により選ぶことができるシステムであるが、ユーザは、検索により選ばれた芸人、パフォーマーを再度ユーザが開催するイベントに合わせて選ばなければならない。例えば、ユーザが開催するイベントの種類、イベントの場所、最寄り駅、及び、イベントの日時に合致する芸人、パフォーマーを再度選ばなければならない。
又、芸人、パフォーマーを選んだ後も、芸人、パフォーマーのスケジュールなどの確認が必要となり、その時点で都合が悪くなると、再度、最初から芸人、パフォーマーを検索しなければならない。
そのような煩雑な手続きを極力少なくすることが望まれている。
【０００５】
以上の現状に鑑み、本発明は、顧客が、顧客の開催するイベントに合わせて、芸能人、芸人等のパフォーマーを容易且つ確実に探し出すことができると共に、パフォーマーも顧客からの申込みを増やし、活躍の場を広げることができるパフォーマー検索システムを提供することを目的とする。
【課題を解決するための手段】
【０００６】
上記の課題を解決すべく、本発明は以下の構成を提供する。
請求項１に係る発明は、パフォーマーが操作するパフォーマー端末と、パフォーマーを探しているクライアントが操作するクライアント端末とにサーバーがインターネットを介して通信するように接続されたパフォーマー検索システムであって、
前記サーバーは、前記パフォーマー端末から、パフォーマー名称、パフォーマーのジャンル、パフォーマンスに適したイベントの種類、パフォーマーの活動範囲、スケジュール、パフォーマーに関する画像、パフォーマンス時間、料金、動画、及びパフォーマンスの詳細情報のうち少なくとも１つを含むパフォーマーに関する登録情報を受信すると記憶装置に格納されたデータベースに保存する手段と、
前記クライアント端末から、パフォーマーに関する評価情報を受信するとパフォーマーに関連付けて前記データベースに保存する手段と、
前記クライアント端末からの要求により、検索情報を入力するための検索画面情報を前記クライアント端末へ送信する手段と、
前記クライアント端末から前記検索画面情報に基づく検索画面を介して、クライアントが開催するイベントの種類、イベントの場所、イベントの場所の最寄り駅、イベントの日時、パフォーマー名称、パフォーマーのジャンル、パフォーマンス時間、料金のうち少なくとも一つを含む検索情報を受信すると、受信した検索情報に基づき、前記検索情報に夫々対応させて前記登録情報のパフォーマンスに適したイベントの種類、パフォーマーの活動範囲、パフォーマーの活動範囲、スケジュール、パフォーマー名称、パフォーマーのジャンル、パフォーマンス時間、料金を検索し、前記検索情報と合致するパフォーマーを抽出する手段と、
前記パフォーマーを抽出した際に、２以上の検索情報により検索を行った場合は、更に、前記２以上の検索情報の何れにも合致するパフォーマーを抽出する手段と、
前記クライアント端末から前記検索画面情報に基づく検索画面を介して、前記ジャンル毎のパフォーマーのランキング、又は、最近の所定期間のベストパフォーマーの何れかの前記評価情報に関わる検索情報を受信すると、受信した検索情報に基づき、前記データベースに保存されたパフォーマーに関する評価情報を検索して前記評価情報に関わる検索情報に合致するパフォーマーを抽出する手段と、
抽出されたパフォーマーに基づき、前記データベースに登録されたパフォーマーの所定の登録情報を抽出して検索回答画面情報を作成する手段と、
前記検索回答画面情報を前記クライアント端末に送信する手段と、
前記クライアント端末からパフォーマーへの申込み情報を受信すると、前記申込み情報を受信した旨の情報を前記クライアント端末及び前記パフォーマー端末に送信する手段とを備えたことを特徴とするパフォーマー検索システムを提供するものである。
【０００７】
請求項２に係る発明は、前記サーバーは、前記クライアント端末から問合せ画面を介して問合せ情報を受信すると、前記パフォーマー端末に問合せがあった旨の情報を送信する手段と、
前記パフォーマー端末からの要求により、前記問合せ情報を含む問合せ回答入力画面情報を作成する手段と、
前記問合せ回答入力画面情報を前記パフォーマー端末に送信する手段と、
前記パフォーマー端末から前記問合せ回答入力画面情報に基づく問合せ回答入力画面を介して前記問合せ情報に対する回答情報を受信すると、前記クライアント端末に前記問合せ情報に対する回答があった旨の情報を送信する手段と、
前記クライアント端末からの要求により前記問合せ回答情報を含む問合せ回答画面情報を作成する手段と、
前記問合せ回答画面情報を前記クライアント端末に送信する手段とを備えたことを特徴とする請求項１記載のパフォーマー検索システムを提供するものである。
【０００８】
請求項３に係る発明は、前記サーバーは、前記検索情報が、クライアントの開催するイベントの日時であった場合、前記イベントの日時に基づき、パフォーマーのスケジュールが予め登録された前記データベースに格納されたスケジューラーから前記イベントの日時にパフォーマンスが可能なパフォーマーを検索する手段を備えたことを特徴とする請求項１又は２に記載のパフォーマー検索システムを提供するものである。
【０００９】
請求項４に係る発明は、前記サーバーは、前記検索情報が、クライアントが開催するイベントの場所の最寄り駅であった場合、前記サーバーが備える、又は、前記サーバーからアクセスできる駅住所データベースによって、前記最寄り駅の住所を求め、前記最寄り駅の住所に基づき、前記データベースに保存された前記パフォーマーの活動範囲を検索し、前記最寄り駅の近くで活動できるパフォーマーを抽出する手段を備えたことを特徴とする請求項１乃至３のうちいずれか一に記載のパフォーマー検索システムを提供するものである。
【００１０】
請求項５に係る発明は、前記サーバーは、前記検索情報が、パフォーマーのジャンル毎の評価のランキングであった場合、前記データベースに登録されているパフォーマーの評価情報により、パフォーマーをジャンル毎に評価が高い順に所定人数抽出する手段を備えたことを特徴とする請求項１乃至４のうちいずれか一に記載のパフォーマー検索システムを提供するものである。
【００１１】
請求項６に係る発明は、前記サーバーは、前記検索情報が、最近の所定期間のベストパフォーマーであった場合、前記データベースに登録されているパフォーマーの評価情報により、パフォーマーの最近の所定期間に於ける評価の高い順に所定人数抽出する手段を備えたことを特徴とする請求項１乃至５のうちいずれか一に記載のパフォーマー検索システムを提供するものである。
【発明の効果】
【００１２】
本発明によれば、顧客が、顧客の開催するイベントに合わせて、芸能人、芸人等のパフォーマーを容易且つ確実に探し出すことができると共に、パフォーマーも顧客からの申込みを増やし、活躍の場を広げることができるパフォーマー検索システムを提供することができる。
【図面の簡単な説明】
【００１３】
【図１】本発明に係るパフォーマー検索システムの概略システム構成図である。
【図２】本発明に係るサーバーの機能説明図である。
【図３】本発明に係るパフォーマーデータベースのデータ構成図である。
【図４】本発明に係る評価データベースのデータ構成図である。
【図５】本発明に係るパフォーマーのスケジューラーの説明図である。
【図６】本発明に係る駅住所データベースのデータ構成図である。
【図７】本発明に係るレビュー・口コミデータベースのデータ構成図である。
【図８】本発明に係るパフォーマー代表者データベースのデータ構成図である。
【図９】本発明に係るジャンルデータベースのデータ構成図である。
【図１０】本発明に係るイベントデータベースのデータ構成図である。
【図１１】本発明に係る検索画面の説明図である。
【図１２】本発明に係る検索回答画面の説明図である。
【図１３】本発明に係るパフォーマー検索システムの前半処理のフローチャート図である。
【図１４】本発明に係るパフォーマー検索システムの後半処理のフローチャート図である。
【発明を実施するための形態】
【００１４】
以下、実施例を示した図面を参照しつつ本発明の実施の形態を説明する。
尚、上記サーバー、クライアント端末及びパフォーマー端末はＣＰＵとメモリーを持ったコンピュータを備え、上記各手段は、パフォーマー検索システムに於いて、ＣＰＵが記憶装置に記憶されている必要なコンピュータプログラムをメモリーに読み込んで実行することにより実現される手段であり、そのフローチャート図が図１３及び図１４である。
図１に於いて、１は、本発明のパフォーマー検索システムを示し、パフォーマー検索システム１は、芸人、芸能人等のパフォーマーが操作するパフォーマー端末２と、パフォーマーを探しているクライアントが操作するクライアント端末３とにサーバー４がインターネット５を介して通信するように接続されている。
【００１５】
前記パフォーマー端末２は、パフォーマーパソコン６と、パフォーマー携帯端末７の２種類の端末のいずれであっても良く、パフォーマーパソコン６と、パフォーマー携帯端末７は、１乃至複数台で構成される。又、パフォーマー携帯端末７は、基地局８を介してインターネット５に接続される携帯可能なＰＤＡ等の携帯情報端末であって、携帯電話であっても良い。
前記クライアント端末３は、クライアントパソコン９と、クライアント携帯端末１０の２種類の端末のいずれであっても良く、クライアントパソコン９と、クライアント携帯端末１０は、１乃至複数台で構成される。又、クライアント携帯端末１０は、基地局８を介してインターネット５に接続される携帯可能なＰＤＡ等の携帯情報端末であって、携帯電話であっても良い。
【００１６】
図２は、サーバー４の機能と、サーバー４が備える記憶装置２１に保存するデータベース２２の概要を示している。
図２に示すように、前記サーバー４は、パフォーマー端末２から、パフォーマー名称、パフォーマーのジャンル、パフォーマンスに適したイベントの種類、パフォーマーの活動範囲、スケジュール、パフォーマーに関する画像、パフォーマンス時間、料金、動画、及びパフォーマンスの詳細情報のうち少なくとも１つを含むパフォーマーに関する登録情報を受信すると記憶装置２１に格納されたデータベース２２のパフォーマーデータベース（ＤＢ）２２１に保存する保存手段２３と、クライアント端末３から、パフォーマーに関する評価情報を受信するとパフォーマーに関連付けてデータベース２２の評価データベース２２２に保存する保存手段２４と、クライアント端末３からの要求により、検索情報を入力するための検索画面情報をクライアント端末３へ送信する送信手段２５と、クライアント端末３から検索画面情報に基づく検索画面を介して、クライアントが開催するイベントの種類、イベントの場所、イベントの場所の最寄り駅、イベントの日時、パフォーマー名称、パフォーマーのジャンル、パフォーマンス時間、料金のうち少なくとも一つを含む検索情報を受信すると、受信した検索情報に基づき、検索情報に夫々対応させて登録情報のパフォーマンスに適したイベントの種類、パフォーマーの活動範囲、パフォーマーの活動範囲、スケジュール、パフォーマー名称、パフォーマーのジャンル、パフォーマンス時間、料金を検索し、検索情報と合致するパフォーマーを抽出する検索・抽出手段２６と、パフォーマーを抽出した際に、２以上の検索情報により検索を行った場合は、更に、２以上の検索情報の何れにも合致するパフォーマーを抽出する抽出手段２７と、クライアント端末３から検索画面情報に基づく検索画面を介して、ジャンル毎のパフォーマーのランキング、又は、最近の所定期間のベストパフォーマーの何れかの評価情報に関わる検索情報を受信すると、受信した検索情報に基づき、データベース２２のパフォーマーデータベース２２１に保存されたパフォーマーに関する評価情報を検索して評価情報に関わる検索情報に合致するパフォーマーを抽出する検索・抽出手段２８と、抽出されたパフォーマーに基づき、データベース２２のパフォーマーデータベース２２１に登録されたパフォーマーの所定の登録情報を抽出して検索回答画面情報を作成する検索回答画面情報作成手段２９と、検索回答画面情報をクライアント端末に送信する送信手段３０と、クライアント端末３からパフォーマーへの申込み情報を受信すると、申込み情報を受信した旨の情報をクライアント端末３及びパフォーマー端末２に送信する送信手段３１，３２とを備えている。
【００１７】
又、前記サーバー４は、クライアント端末３から問合せ画面を介して問合せ情報を受信すると、パフォーマー端末２に問合せがあった旨の情報を送信する送信手段３３と、パフォーマー端末２からの要求により、問合せ情報を含む問合せ回答入力画面情報を作成する問合せ回答入力画面情報作成手段３４と、問合せ回答入力画面情報をパフォーマー端末２に送信する送信手段３５と、パフォーマー端末２から問合せ回答入力画面情報に基づく問合せ回答入力画面を介して問合せ情報に対する回答情報を受信すると、クライアント端末３に問合せ情報に対する回答があった旨の情報を送信する送信手段３６と、クライアント端末３からの要求により問合せ回答情報を含む問合せ回答画面情報を作成する問合せ回答画面情報作成手段３７と、問合せ回答画面情報をクライアント端末に送信する送信手段３８とを備える。
【００１８】
又、前記サーバー４は、前記検索情報が、クライアントの開催するイベントの日時であった場合、イベントの日時に基づき、パフォーマーのスケジュールが予め登録されたデータベース２２に格納されたスケジューラー２２３からイベントの日時にパフォーマンスが可能なパフォーマーを検索する検索手段４１と、前記検索情報が、クライアントが開催するイベントの場所の最寄り駅であった場合、サーバー４が備える、又は、サーバー４からインターネット等を介してアクセスできる駅住所データベース２２４によって、最寄り駅の住所を求め、最寄り駅の住所に基づき、データベース２２のパフォーマーデータベース２２１に保存されたパフォーマーの活動範囲を検索し、最寄り駅の近くで活動できるパフォーマーを抽出する検索・抽出手段４２と、前記検索情報が、パフォーマーのジャンル毎の評価のランキングであった場合、データベース２２の評価データベース２２２に登録されているパフォーマーの評価情報により、パフォーマーをジャンル毎に評価が高い順に所定人数抽出する抽出手段４３と、前記検索情報が、最近の所定期間のベストパフォーマーであった場合、データベース２２の評価データベース２２２に登録されているパフォーマーの評価情報により、パフォーマーの最近の所定期間に於ける評価の高い順に所定人数抽出する抽出手段４４とを備えている。
【００１９】
尚、前記データベース２２は、その他にも、前記クライアント端末３から受信するパフォーマーに関するレビュー・口コミ情報を格納するレビュー・口コミデータベース２２５、前記パフォーマー端末２から受信するパフォーマー代表者のデータを格納するパフォーマー代表者データベース２２６、パフォーマンスのジャンルを格納するジャンルデータベース２２７、イベントの種類を格納するイベントデータベース２２８を備えている。
【００２０】
図３は、パフォーマーデータベース２２１を示し、パフォーマーの識別番号５１毎に、パフォーマー名称５２、パフォーマーのジャンル５３、パフォーマーに適したイベントの種類５４、演目５５、パフォーマンス時間５６、料金５７、パフォーマーの活動範囲５８、自己アピール５９、演目説明６０、プロフィール６１、画像６２、動画６３等のデータで構成されている。尚、ジャンル５３、パフォーマーに適したイベントの種類５４の符号は後述するテーブル（図９及び図１０参照）で定義されるものである。パフォーマーデータベース２２１の各データは、検索タームとして利用されたり、検索回答情報や、検索回答情報にリンクする詳細情報や、関連情報としてクライアントに提供される。
図４は、パフォーマーの評価を記録する評価データベース２２２であり、パフォーマーの識別番号７１毎に、例えば１〜５の５段階で評価される評価７２、評価日７３、評価意見７４等のデータで構成される。評価データベース２２２のデータはクライアント端末３から受信し、識別番号７１毎に評価日７３順に蓄積される。又、評価データベース２２２のデータは、評価に関する検索タームとして利用されたり、検索回答情報や、検索回答情報にリンクする詳細情報や、関連情報としてクライアントに提供される。
【００２１】
図５はパフォーマーのスケジュールを管理するスケジューラー２２３を示し、パフォーマーの識別番号８１と、パフォーマーのスケジュールの西暦年８２と、各日付毎に時間帯で示されたスケジュール８３で構成されている。スケジューラー２２３はサーバー４が備えるデータベース２２に格納されるものであるが、サーバー４がインターネット等を介してアクセスできるものであっても良い。パフォーマー端末２から送信して入力又は更新する。
図６は、駅と駅の住所を格納する駅住所データベース２２４であり、路線９１、駅名９２、駅の住所９３が記録される。前述したように駅住所データベース２２４はデータベース２２に備えてもよいが、サーバー４がインターネット等を介してアクセスできるデータベースであっても良い。
【００２２】
図７は、パフォーマーに対するレビュー、口コミのデータを記録するレビュー・口コミデータベース２２５であり、パフォーマーの識別番号１０１毎に、パフォーマーに対する批評等からなるレビュー１０２、パフォーマーに関する色々な意見等からなる口コミ１０３が記録される。
レビュー・口コミデータベース２２５のデータは、検索回答情報にリンクする詳細情報や、関連情報としてクライアントに提供される。
図８は、パフォーマー代表者データベース２２６であり、パフォーマーの識別番号１１１毎にパフォーマー名称１１２、代表者氏名１１３、住所１１４、連絡先１１５等が記録される。パフォーマー代表者データベース２２６のデータは、検索回答情報や、検索回答情報にリンクする詳細情報、関連情報としてクライアントに提供されると共に、サーバー側からの連絡用に利用される。
【００２３】
図９は、ジャンルデータベース２２７であり、パフォーマーデータベース（図３に於いて２２１）のジャンル（図３に於いて５３）に格納される符号を定義するテーブルである。
符号１２１と、ジャンル１２２が記録される。符号１２１には、例えば、Ａ１，Ａ２，Ａ３…等のデータが格納され、ジャンル１２２には、例えば、マジシャン、ダンサー、漫才師…等のデータが格納される。
図１０は、イベントデータベース２２８であり、パフォーマーデータベース（図３に於いて２２１）のパフォーマーに適したイベントの種類（図３に於いて５４）に格納される符号を定義するテーブルである。
符号１３１と、イベント１３２が記録される。符号１３１には、例えば、Ｂ１，Ｂ２，Ｂ３…等のデータが格納され、イベント１３２には、例えば、結婚式、誕生会、文化祭等のデータが格納される。
【００２４】
図１１は一例としての検索画面であり、「イベントの場所とカレンダーから探す」欄１４１では、イベントの場所１４２として、都道府県１４３、最寄り駅１４４、最寄り駅から会場までの時間１４５を入力する欄があり、イベントの日時１４６として、日付１４７、時間帯１４８を入力する欄があり、「イベントの種類から探す」欄１４９では、各イベントを選択する欄があり、「ジャンルから探す」欄１５０では、パフォーマーのジャンルを選択する欄があり、「名前から探す」欄１５１では、パフォーマーの名前を入力する欄１５２があり、「評価から探す」欄１５３は、「ジャンル毎にランキング」を表示する欄１５４、「最近１ヶ月のベストパフォーマー」を探す欄１５５を選択する欄があり、最下段には、検索を開始するための「探す」欄１５６が表示される。
【００２５】
図１２は一例としての検索回答画面であり、「検索条件を表示する」欄１６１と、「次のパフォーマーがヒットしました。」と表示されて検索回答をジャンル別に画像と、パフォーマー名称と、その説明とを表示する欄１６２が備えられている。
画像、パフォーマー名称又は説明をクリックすると、図示は省略するが、ウインドウが切り替わり、或いは、別ウインドウで、更に、詳細な情報、例えば、複数画像、拡大画像、動画、更に詳しい説明などが表示される。
【００２６】
図１３及び図１４は、本発明のパフォーマー検索システムの処理の流れを示す。
図１３に示す如く、サーバー４は、パフォーマー端末２から送信された（ステップＳ１）、パフォーマー名称、パフォーマーのジャンル、パフォーマンスに適したイベントの種類、パフォーマーの活動範囲、スケジュール、パフォーマーに関する画像、パフォーマンス時間、料金、動画、及びパフォーマンスの詳細情報のうち少なくとも１つを含むパフォーマーに関する登録情報を受信（ステップＳ２）すると、記憶装置２１に格納されたデータベース２２に保存する（ステップＳ３）。
又、クライアント端末３から送信された（ステップＳ４）、パフォーマーに関する評価情報を受信すると（ステップＳ５）パフォーマーに関連付けてデータベース２２に保存する（ステップＳ６）。
そして、クライアント端末３からの検索画面要求（ステップＳ７）を受信すると（ステップＳ８）、検索情報を入力するための検索画面情報をクライアント端末３へ送信する（ステップＳ９）。
クライアント端末３は、検索画面情報を受信すると（ステップＳ１０）、検索画面情報に基づき検索画面を表示し（ステップＳ１１）、クライアントにより検索情報が入力されると（ステップＳ１２）、サーバー４に送信する（ステップＳ１３）。
【００２７】
サーバー４は、クライアント端末３から、クライアントが開催するイベントの種類、イベントの場所、イベントの場所の最寄り駅、イベントの日時、パフォーマー名称、パフォーマーのジャンル、パフォーマンス時間、料金のうち少なくとも一つを含む検索情報を受信すると（ステップＳ１４）、受信した検索情報に基づき、検索情報に夫々対応させて登録情報のパフォーマンスに適したイベントの種類、パフォーマーの活動範囲、パフォーマーの活動範囲、スケジュール、パフォーマー名称、パフォーマーのジャンル、パフォーマンス時間、料金を検索し、検索情報と合致するパフォーマーを抽出する（ステップＳ１５）。
パフォーマーを抽出した際に、２以上の検索情報により検索を行った場合は、更に、２以上の検索情報の何れにも合致するパフォーマーを抽出する（ステップＳ１６）。
尚、ステップ１４に於いて、クライアント端末３から検索画面情報に基づく検索画面を介して、ジャンル毎のパフォーマーのランキング、又は、最近の１ヶ月のベストパフォーマーの何れかの評価情報に関わる検索情報を受信すると、受信した検索情報に基づき、データベース２２に保存されたパフォーマーに関する評価情報を検索して評価情報に関わる検索情報に合致するパフォーマーを抽出する（ステップＳ１５）。
【００２８】
次に、抽出されたパフォーマーに基づき、データベース２２に登録されたパフォーマーの所定の登録情報を抽出して検索回答画面情報を作成し（ステップＳ１７）、作成した検索回答画面情報と、予め別途作成した申込み入力画面情報及び問合せ入力画面情報とをクライアント端末３に送信する（ステップＳ１８）。
クライアント端末３は、検索回答画面情報を受信すると（ステップＳ１９）、検索回答画面情報に基づき検索回答画面を表示する（ステップＳ２０）。クライアントは検索回答画面により検索回答情報を閲覧できると共に、更に、検索回答情報にリンクする詳細情報や、関連情報を閲覧することができる。
【００２９】
クライアントが、パフォーマーに対する問合せを行なうことなく（ステップＳ２１）、図１４に示す如く、パフォーマーの申込みを行う場合（ステップＳ２２）、前記申込み入力画面情報に基づく申込み入力画面に申込み情報を入力すれば、クライアント端末３は、申込み情報をサーバー４に送信する（ステップＳ２３）。
サーバー４は、クライアント端末３からパフォーマーへの申込み情報を受信すると（ステップＳ２４）、申込み情報を受け付けた旨の情報をクライアント端末３及びパフォーマー端末２に送信する（ステップＳ２５）。
クライアント端末３は、申込み情報を受け付けた旨の情報を受信すると（ステップＳ２６）、申込み情報を受け付けた旨の情報を表示する（ステップＳ２７）。
一方、パフォーマー端末２は、申込み情報を受信した旨の情報を受信すると（ステップＳ２８）、申込み情報を受け付けた旨の情報を表示する（ステップＳ２９）。
この後、クライアントと、パフォーマーとは、サーバー４から提供される連絡先を介して互いに直接連絡をとるなどして契約をすすめることになる。
【００３０】
ステップＳ２７の後、クライアントが再度検索回答画面表示を希望する場合、或いは、他の申込みを希望する場合は（ステップＳ６１）、ステップＳ２０に戻る。
ステップＳ６１で再度検索回答画面表示を希望しない場合、或いは、他の申込みを希望しない場合は、ステップＳ６２に進み、検索画面に戻る場合は、ステップＳ１１に戻り、検索画面に戻らない場合は処理を終了する。
【００３１】
図１３に示す如く、前記ステップＳ２１に於いて、クライアントがパフォーマーに問合せを行う場合は、前記問合せ入力画面情報に基づく問合せ入力画面に問合せ情報を入力してサーバー４に送信し（ステップＳ３１）、サーバー４は、クライアント端末３から問合せ画面を介して問合せ情報を受信すると（ステップＳ３２）、パフォーマー端末２に問合せがあった旨の情報を送信し（ステップＳ３３）、パフォーマー端末２が、問合せがあった旨の情報を受信して（ステップＳ３４）、問合せ回答入力画面を要求してくると（ステップＳ３５）、サーバー４は、パフォーマー端末２から受信した（ステップＳ３６）要求に基づき、図１４に示す如く、問合せ情報を含む問合せ回答入力画面情報を作成し（ステップＳ３７）、問合せ回答入力画面情報をパフォーマー端末２に送信する（ステップＳ３８）。
パフォーマー端末２は問合せ回答入力画面情報を受信すると（ステップＳ３９）、問合せ回答入力画面情報に基づき、問合せ回答入力画面を表示し、パフォーマーにより問合せ回答入力画面に問合せ回答の入力があると、サーバー４に問合せ回答を送信する（ステップＳ４０）。
【００３２】
サーバー４は、問合せ回答を受信すると（ステップＳ４１）、問合せ回答があった旨の情報（連絡情報）をクライアント端末３に送信し（ステップＳ４２）、クライアント端末３は問合せ回答があった旨の情報を受信すると（ステップＳ４３）、サーバー４に問合せ回答画面を要求し（ステップＳ４４）、サーバー４は、クライアント端３から問合せ回答画面要求を受信すると（ステップＳ４５）、問合せ回答情報を含む問合せ回答画面情報を作成し（ステップＳ４６）、クライアント端末３に送信する（ステップＳ４７）。
クライアント端末３は問合せ回答画面情報を受信すると（ステップＳ４８）、問合せ回答画面情報に基づき、問合せ回答画面を表示する（ステップＳ４９）。
再度、問合せを行う場合は（ステップＳ５０）、ステップＳ３１に戻る。
【００３３】
尚、サーバー４は、ステップＳ１４で受信した検索情報が、クライアントが開催する「イベントの日時」（図１１に於いて「イベントの日時」１４６参照）であった場合、イベントの日時に基づき、サーバー４のデータベースに格納された図５に示す各パフォーマーのスケジューラー２２３からイベントの日時にパフォーマンスが可能なパフォーマーを抽出する。
又、サーバー４は、ステップＳ１４で受信した検索情報が、クライアントが開催するイベントの場所の「最寄り駅」（図１１に於いて「最寄り駅」１４４参照）であった場合、サーバー４が備える図６に示す駅住所データベース２２４、又は、サーバー４からアクセスできる駅住所データベースによって、最寄り駅の住所９３を求め、最寄り駅の住所９３に基づき、データベース２２に保存されたパフォーマーの活動範囲４８を検索し、最寄り駅の近くで活動できるパフォーマーを抽出する。
【００３４】
更に、サーバー４は、ステップＳ１４で受信した検索情報が、パフォーマーの「ジャンル毎の評価のランキング」（図１１に於いて「ジャンル毎にランキング」１５４参照）であった場合、データベース２２に登録されている図４に示す評価データベースに保存されたパフォーマーの評価情報（図４に於いて「評価」６２参照）により、パフォーマーをジャンル毎に評価が高い順に所定人数抽出する。
更に又、サーバー４は、ステップＳ１４で受信した検索情報が、「最近の１ヶ月のベストパフォーマー」（図１１に於いて「最近１ヶ月のベストパフォーマー」１５５参照）であった場合、データベース２２に登録されているパフォーマーの評価情報（図４に於いて「評価」６２参照）により、パフォーマーの最近１ヶ月に於ける評価の高い順に所定人数抽出する。
【符号の説明】
【００３５】
１  パフォーマー検索システム
２  パフォーマー端末
３  クライアント端末
４  サーバー
５  インターネット
２１  記憶装置
２２  データベース
５２  パフォーマー名称
５３，１２２  ジャンル
５４  イベントの種類
５７  料金
５８  活動範囲
７２  評価
８３  スケジュール
９３  住所
１３２  イベント
１４４  最寄り駅
１４６  イベントの日時
２２３  スケジューラー
【図２】
2013045174.tif 000003
【図３】
2013045174.tif 000004
【図４】
2013045174.tif 000005
【図６】
2013045174.tif 000006
【図７】
2013045174.tif 000007
【図８】
2013045174.tif 000008
【図９】
2013045174.tif 000009
【図１０】
2013045174.tif 000010
【図１１】
2013045174.tif 000011
【図１２】
2013045174.tif 000012
【図１３】
2013045174.tif 000013
【図１４】
2013045174.tif 000014
【図１】
2013045174.tif 000015
【図５】
2013045174.tif 000016